(57)【要約】  エレベータのかごにおいては、下梁上にかご床及びかご室が設けられている。一対の縦柱は、下梁の両端部に接続され、かご室の両側に鉛直に配置されている。一対の棒状部材は、かご床に接続され、かご室の両側に鉛直に配置されている。矩形状の上枠は、互いに平行な第１及び第２の上梁と、第１及び第２の上梁の両端部間に接続された第３及び第４の上梁とを有し、かご室の上方で縦柱及び棒状部材に接続されている。第１及び第２の上梁間には、一対の取付梁が接続されている。取付梁間には、懸架手段が接続されるかご吊り部が設けられている。
2008149439.tif 000002
【特許請求の範囲】
【請求項１】
下梁、
上記下梁上に設けられているかご床、
上記かご床上に設けられているかご室、
上記下梁の両端部に接続され、上記かご室の両側に鉛直に配置された一対の縦柱、
上記かご床に接続され、上記かご室の両側に鉛直に配置された一対の棒状部材、
互いに平行な第１及び第２の上梁と、上記第１及び第２の上梁の両端部間に接続された第３及び第４の上梁とを有し、上記かご室の上方で上記縦柱及び上記棒状部材に接続されている矩形状の上枠、
上記第１及び第２の上梁間に接続された一対の取付梁、及び
上記取付梁間に設けられ、懸架手段が接続されるかご吊り部
を備えているエレベータのかご。
【請求項２】
上記かご室の幅方向における上記上枠の両端面は、上記かご床の幅方向両端面の真上に位置しており、
上記かご吊り部は、垂直投影面で上記縦柱の中心及び上記棒状部材の中心を結ぶ４本の直線により構成された四角形の中央部に配置されており、かつ全体の重心の真上に配置されている請求項１記載のエレベータのかご。
【請求項３】
上記縦柱は、垂直投影面で、上記四角形の隣り合う角部に配置されている請求項２記載のエレベータのかご。
【請求項４】
上記棒状部材の下端部間に接続されている繋ぎ梁をさらに備え、
上記かご床は、上記下梁及び上記繋ぎ梁の上に支持されている請求項３記載のエレベータのかご。
【請求項５】
上記縦柱は、垂直投影面で、上記四角形の対角に位置する角部に配置されている請求項２記載のエレベータのかご。
【請求項６】
上記下梁上で上記下梁に交差しつつ上記棒状部材の下端部間に接続されている繋ぎ梁、及び
上記下梁上に設けられている嵩上げ部材
をさらに備え、
上記かご床は、上記繋ぎ梁及び上記嵩上げ部材の上に支持されている請求項５記載のエレベータのかご。
【請求項７】
上記取付梁間には、一対の補助梁が接続されており、
上記かご吊り部は、上記補助梁に取り付けられている請求項１記載のエレベータのかご。
【発明の詳細な説明】
【技術分野】
【０００１】
この発明は、上部に接続された懸架手段により昇降路内に吊り下げられるエレベータのかごに関するものである。  
【背景技術】
【０００２】
従来のエレベータのかご枠では、かごの前後方向に平行な第１及び第２の床受け枠と、第１の床受け枠の前端部と第２の床受け枠の前端部との間に結合された第１の補助枠と、第１の床受け枠の後端部と第２の床受け枠の後端部との間に結合された第２の補助枠とにより、かご室を支持する四角形の下部枠が構成されている。かご室の上方には、かご室の幅方向に平行かつ水平な上枠が配置されている。かごを吊り下げる主索は、上枠に接続される。【０００３】
上枠の第１の端部と第１の床受け枠の前端部との間には、第１の側枠が斜めに固定されている。上枠の第１の端部と第１の床受け枠の後端部との間には、第２の側枠が斜めに固定されている。上枠の第２の端部と第２の床受け枠の前端部との間には、第３の側枠が斜めに固定されている。上枠の第２の端部と第２の床受け枠の後端部との間には、第４の側枠が斜めに固定されている（例えば、特許文献１参照）。【０００４】
【特許文献１】実開昭６０−１８０２７７号公報
【発明の開示】
【発明が解決しようとする課題】
【０００５】
上記のような従来のエレベータのかご枠構造では、上枠に大きな曲げモーメントが作用するため、上枠の上下方向寸法を大きくする必要があり、かごの高さ寸法が大きくなる。これに対して、従来の機械室レスエレベータでは、昇降路の高さ寸法を小さくするためにかごの下部を吊る構造とすることが多い。しかし、かごの下部を吊る構造では、かごの側部に主索を通す空間を確保する必要があり、昇降路の水平方向寸法が大きくなってしまう。また、かごへの主索の接続作業や主索の交換作業に手間がかかってしまう。【０００６】
この発明は、上記のような課題を解決するためになされたものであり、上部に懸架手段が接続される構造としつつ、高さ寸法を低減することができるエレベータのかごを得ることを目的とする。
【課題を解決するための手段】
【０００７】
この発明によるエレベータのかごは、下梁、下梁上に設けられているかご床、かご床上に設けられているかご室、下梁の両端部に接続され、かご室の両側に鉛直に配置された一対の縦柱、かご床に接続され、かご室の両側に鉛直に配置された一対の棒状部材、互いに平行な第１及び第２の上梁と、第１及び第２の上梁の両端部間に接続された第３及び第４の上梁とを有し、かご室の上方で縦柱及び棒状部材に接続されている矩形状の上枠、第１及び第２の上梁間に接続された一対の取付梁、及び取付梁間に設けられ、懸架手段が接続されるかご吊り部を備えている。
【図面の簡単な説明】
【０００８】
【図１】この発明の実施の形態１によるエレベータのかごを示す斜視図である。
【図２】図１のかごを示す平面図である。
【図３】この発明の実施の形態２によるエレベータのかごを示す斜視図である。
【図４】図３のかごを示す平面図である。
【図５】この発明の実施の形態３によるエレベータのかごを示す斜視図である。
【発明を実施するための最良の形態】
【０００９】
以下、この発明の好適な実施の形態について図面を参照して説明する。
実施の形態１．
図１はこの発明の実施の形態１によるエレベータのかごを示す斜視図、図２は図１のかごを示す平面図である。【００１０】
図において、かご１は、懸架手段である複数本の主索２により昇降路内に吊り下げられ、駆動装置（図示せず）の駆動力により昇降路内を昇降される。昇降路内には、かご１の昇降を案内する一対のかごガイドレール３ａ，３ｂが設置されている。【００１１】
かご１の下部には、かご１の幅方向に平行かつ水平な下梁４が設けられている。下梁４上には、乗客や積載物を支持する平板状のかご床５が設けられている。かご床５の平面形状は、矩形（長方形）である。かご床５上には、かご室６が設けられている。かご室６は、かご出入口６ａが設けられた前面と、前面に対向する背面と、互いに対向する第１及び第２の側面と、天井面とを有している。【００１２】
かご室６の両側には、一対の縦柱７ａ，７ｂが鉛直に配置されている。縦柱７ａ，７ｂの下端部は、下梁４の両端部に接続されている。縦柱７ａ，７ｂは、かご室６の前後方向の同じ位置に配置されている。【００１３】
また、かご室６の両側には、一対の棒状部材８ａ，８ｂが鉛直に配置されている。棒状部材８ａ，８ｂは、縦柱７ａ，７ｂの後ろ側で、かご室６の前後方向の同じ位置に配置されている。縦柱７ａ及び棒状部材８ａは、かご室６の第１の側面に対向し、縦柱７ｂ及び棒状部材８ｂは、かご室６の第２の側面に対向している。【００１４】
棒状部材８ａ，８ｂの下端部は、かご床５よりも下方へ突出している。棒状部材８ａ，８ｂの下端部間には、繋ぎ梁９が接続されている。かご床５は、下梁４及び繋ぎ梁９の上に支持されている。棒状部材８ａ，８ｂは、繋ぎ梁９を介してかご床５に接続されている。繋ぎ梁９は、かご室６の幅方向に平行かつ水平である。【００１５】
矩形状の上枠（四方枠）１０は、かご室６の上方で縦柱７ａ，７ｂ及び棒状部材８ａ，８ｂに接続されている。また、上枠１０は、互いに平行な第１及び第２の上梁（前梁及び後ろ梁）１０ａ，１０ｂと、第１及び第２の上梁１０ａ，１０ｂの両端部間に接続された互いに平行な第３及び第４の上梁（右側梁及び左側梁）１０ｃ，１０ｄとを有している。【００１６】
この例では、第１及び第２の上梁１０ａ，１０ｂは、かご室６の前後方向に互いに間隔をおいてかご室６の幅方向に平行に配置されている。第３及び第４の上梁１０ｃ，１０ｄは、かご室６の幅方向に互いに間隔をおいてかご室６の前後方向に平行に配置されている。縦柱７ａの上端部及び棒状部材８ａの上端部は、第３の上梁１０ｃの側面に接続されている。縦柱７ｂの上端部及び棒状部材８ｂの上端部は、第４の上梁１０ｄの側面に接続されている。【００１７】
また、縦柱７ａ，７ｂは、垂直投影面で縦柱７ａ，７ｂの中心及び棒状部材８ａ，８ｂの中心を結ぶ４本の直線により構成された四角形（長方形）１１（図２）の隣り合う角部に配置されている。さらに、かご室６の幅方向における上枠１０の両端面（第３の上梁１０ｃの側面及び第４の上梁１０ｄの側面）は、かご床５の幅方向両端面の真上に位置している。【００１８】
第１及び第２の上梁１０ａ，１０ｂ間には、一対の取付梁１２ａ，１２ｂが接続されている。取付梁１２ａ，１２ｂは、かご室６の幅方向に互いに間隔をおいてかご室６の前後方向に平行に配置されている。取付梁１２ａ，１２ｂ間には、主索２が接続されるかご吊り部１３が固定されている。【００１９】
かご吊り部１３は、垂直投影面で四角形１１の中央部に配置されており、かつかご１全体の重心ｇ（図２）の真上に配置されている。上枠１０の上部には、かごガイドレール３ａ，３ｂに係合する一対の上部ガイドシュー１４ａ，１４ｂが取り付けられている。上部ガイドシュー１４ａ，１４ｂは、縦柱７ａ，７ｂの真上に配置されている。下梁４の下部には、かごガイドレール３ａ，３ｂに係合する一対の下部ガイドシュー１５ａ，１５ｂが取り付けられている。下部ガイドシュー１５ａ，１５ｂは、縦柱７ａ，７ｂの真下に配置されている。【００２０】
このようなエレベータのかご１では、かご床５の荷重が、下梁４及び繋ぎ梁９を介して縦柱７ａ，７ｂ及び棒状部材８ａ，８ｂにより吊り下げ状態で支持される。さらに、縦柱７ａ，７ｂ及び棒状部材８ａ，８ｂに作用する吊り下げ荷重は、第３及び第４の上梁１０ｃ，１０ｄで受け止められ、第１及び第２の上梁１０ａ，１０ｂ及び取付梁１２ａ，１２ｂを経由して、最終的にかご吊り部１３で主索２により支持される。【００２１】
第１及び第２の上梁１０ａ，１０ｂの取付梁１２ａ，１２ｂとの接続部には、第３及び第４の上梁１０ｃ，１０ｄまでの距離に応じた曲げモーメントが作用するが、その大きさは、第１及び第２の上梁１０ａ，１０ｂ間に１本の梁を設ける場合に比べて十分に小さい。また、取付梁１２ａ，１２ｂの長さは、第１及び第２の上梁１０ａ，１０ｂよりも短いため、取付梁１２ａ，１２ｂに作用する曲げモーメントも小さい。このため、上部に主索２が接続される構造としつつ、上枠１０及び取付梁１２ａ，１２ｂの高さ寸法を小さくすることができ、かご１全体の高さ寸法を低減することができる。【００２２】
また、かご室６の側部にかご床５を吊るためのブレースを配置する必要がなく、垂直投影面で、かご室６及びかご床５の領域の外側には、縦柱７ａ，７ｂ及び棒状部材８ａ，８ｂのみが配置されているので、かご１の側部の空間を有効に活用して昇降路機器を配置することができる。【００２３】
さらに、かご床５が下梁４及び繋ぎ梁９の上に支持されているため、かご床５に作用する曲げモーメントを抑えることができ、かご床５を薄く軽く構成できる。【００２４】
さらにまた、かご室６の幅方向における上枠１０の両端面が、かご床５の幅方向両端面の真上に位置しており、また、かご吊り部１３は、垂直投影面で四角形１１の中央部に配置されており、かつ重心ｇの真上に配置されているので、各部材に働く荷重を均等に分配して曲げモーメントを低減することができる。【００２５】
実施の形態２．
次に、図３はこの発明の実施の形態２によるエレベータのかごを示す斜視図、図４は図３のかごを示す平面図である。図において、縦柱７ａ，７ｂは、垂直投影面で、四角形１１の対角に位置する角部に配置されている。また、棒状部材８ａ，８ｂは、垂直投影面で、四角形１１の残りの角部に配置されている。棒状部材８ａと縦柱７ｂとは、かご室６の前後方向の同じ位置に配置されている。また、棒状部材８ｂと縦柱７ａとは、かご室６の前後方向の同じ位置に配置されている。【００２６】
下梁４は、縦柱７ａ，７ｂの下端部間に接続されている。このため、下梁４は、かご床５の下方でかご床５の幅方向に対して斜めに配置されている。また、繋ぎ梁９は、下梁４上で下梁４に交差しつつ棒状部材８ａ，８ｂの下端部間に接続されている。即ち、繋ぎ梁９は、かご床５の幅方向に対して下梁４とは逆方向に傾斜して配置されている。下梁４と繋ぎ梁９とは、かご１全体の重心の真下で交差している。【００２７】
下梁４の両端部上には、ブロック状の複数（図３では１個のみ示す）の嵩上げ部材１６が設けられている。かご床５は、繋ぎ梁９及び嵩上げ部材１６の上に支持されている。ガイドシュー１４ａ，１４ｂ，１５ａ，１５ｂは、縦柱７ａ，７ｂと同様に、四角形１１の対角に位置する角部に配置されている。従って、かご１の前後方向のかごガイドレール３ａ，３ｂの位置は、互いにずらされている。他の構成は、実施の形態１と同様である。【００２８】
このようなエレベータのかご１でも、第１及び第２の上梁１０ａ，１０ｂの取付梁１２ａ，１２ｂとの接続部に作用する曲げモーメントが小さく、かつ取付梁１２ａ，１２ｂに作用する曲げモーメントも小さいので、上部に主索２が接続される構造としつつ、高さ寸法を低減することができる。【００２９】
実施の形態３．
次に、図５はこの発明の実施の形態３によるエレベータのかごを示す斜視図である。図において、取付梁１２ａ，１２ｂ間には、一対の補助梁１７ａ，１７ｂが接続されている。補助梁１７ａ，１７ｂは、かご室６の前後方向に互いに間隔をおいてかご室６の幅方向に平行に配置されている。補助梁１７ａ，１７ｂ間には、かご吊り部１３が固定されている。即ち、かご吊り部１３は、補助梁１７ａ，１７ｂに取り付けられている。他の構成は、実施の形態１と同様である。【００３０】
かご床５の幅方向寸法が大きくなると、第１及び第２の上梁１０ａ，１０ｂの長さが長くなり、第１及び第２の上梁１０ａ，１０ｂの取付梁１２ａ，１２ｂとの接続部から第３及び第４の上梁１０ｃ，１０ｄまでの距離が大きくなるため、第１及び第２の上梁１０ａ，１０ｂに作用する曲げモーメントが大きくなる。これに対して、取付梁１２ａ，１２ｂとかご吊り部１３との間に補助梁１７ａ，１７ｂを介在させたことにより、第１及び第２の上梁１０ａ，１０ｂの取付梁１２ａ，１２ｂとの接続部から第３及び第４の上梁１０ｃ，１０ｄまでの距離を小さくすることができる。このため、かご床５の幅方向寸法が大きい場合でも、上枠１０及び取付梁１２ａ，１２ｂの高さ寸法を小さくすることができ、かご１全体の高さ寸法を低減することができる。【００３１】
なお、繋ぎ梁９を省略して、棒状部材８ａ，８ｂの下端部をかご床５に直接接続してもよい。
また、実施の形態１、３では、縦柱７ａ，７ｂの後ろ側に棒状部材８ａ，８ｂを配置したが、棒状部材８ａ，８ｂの後ろ側に縦柱７ａ，７ｂを配置してもよい。
さらに、取付梁１２ａ，１２ｂは、かご室６の前後方向に互いに間隔をおいてかご室６の幅方向に平行に配置してもよい。
さらにまた、かご吊り部１３にかご吊り車を設けることにより、かご１を２：１ローピング方式で吊り下げてもよい。
【図１】
2008149439.tif 000003
【図２】
2008149439.tif 000004
【図３】
2008149439.tif 000005
【図４】
2008149439.tif 000006
【図５】
2008149439.tif 000007
【国際調査報告】
2008149439.tif 000008
2008149439.tif 000009
2008149439.tif 000010
2008149439.tif 000011